(57)【特許請求の範囲】
【請求項１】
底部に形成された係合凹部に、上下動可能なはね上げ側壁の下端部を挿入することにより、はね上げ側壁の回動を阻止するようにした折り畳みコンテナにおいて、上部フレームに形成された透孔に、上下動可能な中間部材を配設するとともに、折り畳みコンテナの開口部を蓋で被蓋した際に、前記蓋に垂設された阻止板により、前記中間部材を押し下げることにより、前記中間部材を、前記係合凹部にその下端部が挿入された前記はね上げ側壁の上端部に当接するように構成するとともに、前記はね上げ側壁を垂直状態とした後に、前記はね上げ側壁を下動させて、前記はね上げ側壁の下端部を、前記底部に形成された係合凹部に挿入した際には、前記中間部材の上面が、前記上部フレームの水平リブと略一致した位置にあるように構成したことを特徴とする折り畳みコンテナ。
【請求項２】
上部フレームに配設されたピニオンに、蓋の内壁に形成されたラックを噛み合わせることにより、蓋の開閉を行うことを特徴とする請求項１に記載の折り畳みコンテナ。
【発明の詳細な説明】
【０００１】
【発明の属する技術分野】
本発明は、各種物品を、運搬、搬送或いは保管するために使用される折り畳み及び組み立て可能な、所謂、折り畳みコンテナを含むコンテナに関するものである。
【０００２】
【従来の技術】
従来、一方の相対する側壁を、上下方向に分割するとともに、適当なヒンジ部材により連結し、もう一方の相対する側壁を、はね上げ可能に形成した折り畳みコンテナにおいて、はね上げ可能に形成された側壁（以下、単に、「はね上げ側壁」という。）が、折り畳みコンテナの内側へ回動しないように、はね上げ側壁に形成された下部水平リブと底部に設けられた係止片とを係合させるようにした折り畳みコンテナが知られている。
【０００３】
本出願人は、本出願人の先の出願である特願平８−５４０７３号において、底部に形成された係合凹部に、上下動可能に構成したはね上げ側壁の下端部を挿入するとともに、折り畳みコンテナに被蓋される蓋に、はね上げ側壁の上動を阻止する板状の阻止部材を垂下するようにした折り畳みコンテナを提案した。以下に、先の出願に係る折り畳みコンテナの斜視図である図８、該折り畳みコンテナの組み立て順序を示す折り畳みコンテナの斜視図である図９、該折り畳みコンテナの一部拡大分解斜視図である図１０及び被蓋された折り畳みコンテナのはね上げ側壁の壁面に垂直な部分断面図である図１１を用いて、発明が解決しようとする課題について説明する。
【０００４】
【発明が解決しようとする課題】
折り畳みコンテナＣは、上部フレーム１、四側面に配設された側壁２及び底部３とからなる上部が開口した箱型に形成されており、側壁２は、上部フレーム１に配設された溝或いは孔に挿入された支軸を中心に回動可能な、相対して配置されたはね上げ側壁２ａ、２ｂと、もう一方の相対して配置された上下に分割された側壁２ｃ，２ｄ（以下、単に、「分割側壁」という。）とから構成されている。上記の分割側壁２ｃ、２ｄは、それぞれ、上部側壁２ｃ’、２ｄ’と下部側壁２ｃ”、２ｄ”とを有し、上部側壁２ｃ’、２ｄ’と下部側壁２ｃ”、２ｄ”とは、それぞれ、適当数の蝶番４により連結されている。また、分割側壁２ｃ、２ｄの上部側壁２ｃ’、２ｄ’は、上部フレーム１に配設された溝或いは孔に挿入された支軸を中心に回動可能に構成されており、そして、下部側壁２ｃ”、２ｄ”は、適当な連結部材５により、底部３に回動可能に枢着されている。
【０００５】
上述したようにして組み立てられた折り畳みコンテナＣを、折り畳み状態から組み立てる順序について、図９を用いて説明する。
【０００６】
図９（ａ）には、相対する一対のはね上げ側壁２ａ、２ｂが、折り畳みコンテナＣの内部側に回動されて略水平状態に位置しており、また、分割側壁２ｃ、２ｄを形成する上部側壁２ｃ’、２ｄ’と下部側壁２ｃ”、２ｄ”が、それぞれ、蝶番４を介して重ねられて、折り畳みコンテナＣが、全体として、コンパクトに折り畳まれた状態が示されている。
【０００７】
この状態から、上部フレーム１を持ち上げると、蝶番４により連結された分割側壁２ｃ、２ｄの上部側壁２ｃ’、２ｄ’と下部側壁２ｃ”、２ｄ”とが拡開されて、図９（ｂ）に示されているように、分割側壁２ｃ、２ｄが垂直状態になる方向に回動する。更に、上部フレーム１を持ち上げると、図９（ｃ）に示されているように、分割側壁２ｃ、２ｄが垂直状態になるとともに、相対する一対のはね上げ側壁２ａ、２ｂが下方に回動して、図８に示されているような折り畳みコンテナＣが組み立てられることになる。
【０００８】
次に、図１０を用いて、垂直状態のはね上げ側壁２ａ、２ｂが、折り畳みコンテナＣの内側に回動しないための回動阻止手段について説明するが、このような回動阻止手段は、相対する一対のはね上げ側壁２ａ、２ｂに共通であるので、一方のはね上げ側壁２ａに配設された回動阻止手段について説明する。
【０００９】
１ａは、分割側壁２ｃ、２ｄが配設された上部フレーム１の長辺枠１ｂの両端部に穿設された縦長孔であり、逆Ｕ字状の上部フレーム１の内側垂直壁１ｂ’に穿設されている。縦長孔１ａには、はね上げ側壁２ａの端側２ａ’の上部に突設された水平軸２ｅが挿着されており、従って、はね上げ側壁２ａは、縦長孔１ａに沿って上下動することができるとともに、水平軸２ｅを中心に回動することができるように構成されている。１ｃは、上部フレーム１の角部に形成された棚部であり、棚部１ｃに、分割側壁２ｃの上部側壁２ｃ’の上部端側に突設された水平軸２ｆを載置することにより、上部フレーム１に分割側壁２ｃを支持するように構成されている。１ｄは、上部フレーム１のはね上げ側壁２ａ側の内側垂直壁１ｂ’に形成された水平リブであり、水平リブ１ｄの両端部付近には、後述する蓋に垂下された、はね上げ側壁２ａの上方への移動を阻止する上動阻止手段としての阻止板が挿入できる透孔１ｅが穿設されている。
【００１０】
３ａは、底部３のはね上げ側壁２ａ側の端部に形成された係合凹部であり、底部３の端部に形成された垂直壁３ａ’と、垂直壁３ａ’の内側に垂直壁３ａ’沿って形成された段部３ａ”とにより形成されている。垂直壁３ａ’は、はね上げ側壁２ａの水平軸２ｅが、上部フレーム１に穿設された縦長孔１ａの上端に位置しているときに、はね上げ側壁２ａの下端部２ｇが、垂直壁３ａ’の内壁に当接するような高さに形成されており、はね上げ側壁２ａが、図９（ａ）に示されている水平位置から、図９（ｃ）に示されている垂直方向に回動した際に、はね上げ側壁２ａが、垂直位置を越えて外側に回動しないようにストッパーとして機能する。
【００１１】
はね上げ側壁２ａを、図９（ａ）に示されている水平位置から、図９（ｃ）に示されている垂直方向に、上部フレーム１に穿設された縦長孔１ａに挿着された水平軸２ｅを中心に回動させて垂直状態とした後に、はね上げ側壁２ａを、縦長孔１ａに沿って下動させることにより、はね上げ側壁２ａの下端部２ｇを、底部３のはね上げ側壁２ａ側の端部に形成された係合凹部３ａに挿入する。このように、はね上げ側壁２ａを、垂直状態に回動した後に下動させて、はね上げ側壁２ａの下端部２ｇを、底部３に形成された係合凹部３ａに挿入することにより、組み立てられた折り畳みコンテナＣのはね上げ側壁２ａに、外力が作用しても、はね上げ側壁２ａが、折り畳みコンテナＣの内側に回動するようなことがない。
【００１２】
６は、折り畳みコンテナＣの開口部に被蓋される蓋であり、そして、蓋６の天板６ａの内壁には、上述した上部フレーム１のはね上げ側壁２ａ側の内側垂直壁１ｂ’に形成された水平リブ１ｄに穿設された透孔１ｅに挿入可能な、はね上げ側壁２ａの上方への移動を阻止する板状の上動阻止手段としての阻止板６ｂが垂下されている。
【００１３】
図８に示されている組み立て状態の折り畳みコンテナＣに、蓋６を被せると、図１１に示されているように、蓋６に垂下された阻止板６ｂが、上部フレーム１の水平リブ１ｄに穿設された透孔１ｅに挿入されるとともに、阻止板６ｂの下端部が、底部３に形成された係合凹部３ａに、その下端部２ｇが挿入された状態のはね上げ側壁２ａの上端部２ｈに当接して、はね上げ側壁２ａの不用意な上動が阻止されることになる。
【００１４】
上述した先の出願で開示された折り畳みコンテナＣにより、はね上げ側壁２ａが底部３に形成された係合凹部３ａから抜け出て、はね上げ側壁２ａが折り畳みコンテナＣの内側に回動するようなことが防止できるものであるが、上部フレーム１の強度を増すために、上部フレーム１の高さを高くしたり、相対するはね上げ側壁２ａ、２ｂの重なり度合い等によっては、阻止板６ｂを長くしなければならない場合がある。しかしながら、阻止板６ｂを長くすると、蓋６の開閉作業中に、下方に長く延びた阻止板６ｂが作業の邪魔になったり、或いは、阻止板６ｂが折れたりする等の問題があった。
【００１５】
本発明の目的は、上述した折り畳みコンテナが有する課題を解決するとともに、蓋の開閉作業の作業性の向上した折り畳みコンテナを提供することにある。
【００１６】
【課題を解決するための手段】
本発明は、上述した目的を達成するために、底部に形成された係合凹部に、上下動可能なはね上げ側壁の下端部を挿入することにより、はね上げ側壁の回動を阻止するようにした折り畳みコンテナにおいて、第１には、上部フレームに形成された透孔に、上下動可能な中間部材を配設するとともに、折り畳みコンテナの開口部を蓋で被蓋した際に、前記蓋に垂設された阻止板により、前記中間部材を押し下げることにより、前記中間部材を、前記係合凹部にその下端部が挿入された前記はね上げ側壁の上端部に当接するように構成するとともに、前記はね上げ側壁を垂直状態とした後に、前記はね上げ側壁を下動させて、前記はね上げ側壁の下端部を、前記底部に形成された係合凹部に挿入した際には、前記中間部材の上面が、前記上部フレームの水平リブと略一致した位置にあるように構成したものであり、第２には、上部フレームに配設されたピニオンに、蓋の内壁に形成されたラックを噛み合わせることにより、蓋の開閉を行うようにしたものである。
【００１７】
【実施例】
以下に、蓋が開いた状態の本発明の折り畳みコンテナの斜視図である図１、蓋が半分開いた状態の本発明の折り畳みコンテナの一部切欠部を含む斜視図である図２、本発明の折り畳みコンテナの一部拡大分解斜視図である図３、本発明の折り畳みコンテナの一部斜視図である図４、被蓋された折り畳みコンテナのはね上げ側壁の壁面に垂直な部分断面図である図５、本発明の折り畳みコンテナの蓋の開閉作業を説明するためのはね上げ側壁の壁面に平行な部分断面図である図６及び図６と同様のはね上げ側壁の壁面に平行な部分断面図である図７を用いて、本発明の実施例について説明するが、本発明の趣旨を越えない限り何ら、本実施例に限定されるものではない。なお、上述した先の出願において開示された折り畳みコンテナと共通或いは類似の部材については、同一の符号を使用し、また、蓋等の構成の異なる部材については、新たな符号を使用した。
【００１８】
特に、図４に明確に示されているように、上部フレーム１の長辺枠１ｂの両端部には、長辺枠１ｂに垂直に軸支持突片１ｆが突設されており、軸支持突片１ｆに穿設された透孔には、水平軸７が挿入されている。水平軸７の両端部には、それぞれ、ピニオン７ａが取着されている。上部フレーム１のもう一方の長辺枠１ｂにも同様の軸支持突片１ｆ、両端部にピニオン７ａが取着された水平軸７が配設されている。
【００１９】
８’は、折り畳みコンテナＣを被蓋する蓋８を構成する一対の半体蓋部であり、それぞれ、折り畳みコンテナＣの半分を被蓋するように構成されている。一対の半体蓋部８’の互いに接近する相対する辺８ａを除いて、半体蓋部８’の天板８ｂの三方縁からは、天板８ｂに垂直な側壁８ｃが形成されている。半体蓋部８’の相対する側壁８ｃの下端部には、天板８ｂに平行な縁部８ｄが形成されており、天板８ｂと側壁８ｃと縁部８ｄとにより、半体蓋部８’の相対する側壁８ｃの内側に、凹部８ｅが形成されることになる。一方の半体蓋部８’の相対する辺８ａには、天板８ｂに垂直な係合短壁８ｆが形成されており、もう一方の半体蓋部８’の相対する辺８ａには、係合短壁８ｆが嵌合する溝８ｇ’を有する短壁８ｇが形成されており、係合短壁８ｆが形成されているか、或いは、溝８ｇ’を有する短壁８ｇが形成されているか以外は、蓋８を構成する一対の半体蓋部８’の構造は同じである。
【００２０】
８ｈは、相対する側壁８ｃ側に沿った天板８ｂの裏面の隅部付近に形成されたラックである。上述した半体蓋部８’の凹部８ｅに、上述した上部フレーム１に配設された回転自在な水平軸７の両端部に取着されたピニオン７ａを配設し、半体蓋部８’の天板８ｂの裏面に形成されたラック８ｈを噛み合わせる。
【００２１】
８ｉは、半体蓋部８’の凹部８ｅ内において、係合短壁８ｆ或いは溝８ｇ’を有する短壁８ｇ側の近傍に形成された仕切り壁であり、半体蓋部８’が、折り畳みコンテナＣを被蓋しない状態において、略垂直状態の半体蓋部８’の係合短壁８ｆ或いは短壁８ｇが、上部フレーム１より下方に下降するのを阻止するために、図６に示されているように、ピニオン７ａが仕切り壁８ｉに当接し、係合短壁８ｆ或いは短壁８ｇが、上部フレーム１より、上方に位置するように構成されている。このように、係合短壁８ｆ或いは短壁８ｇが、上部フレーム１より、上方に位置するように構成することにより、略垂直状態の半体蓋部８’を上方に持ち上げて、折り畳みコンテナＣを被蓋する際に、上部フレーム１より、上方に位置している係合短壁８ｆ或いは短壁８ｇを把持することができるので、被蓋作業の作業性が向上する。
【００２２】
折り畳みコンテナＣを蓋８で被蓋する場合には、先ず最初に、半体蓋部８’の上部フレーム１より上方に位置している部分を持って、半体蓋部８’を上方に引き上げると、半体蓋部８’の天板８ｂの裏面に形成されたラック８ｈと噛み合っている、上部フレーム１に配設された水平軸７の両端部に取着されたピニオン７ａを回転させながら、半体蓋部８’が上動することになり、半体蓋部８’の係合短壁８ｆ或いは短壁８ｇが、常に、水平なままで上動されるので、従って、半体蓋部８’が傾斜して、半体蓋部８’の相対する側壁８ｃの内面の一方或いは両方が、上部フレーム１に当接して、半体蓋部８’の円滑な移動が阻止されるようなことがない。
【００２３】
半体蓋部８’を上限まで上動させた状態で、或いは、上動と同時に、又は、上動の途中で、半体蓋部８’を、折り畳みコンテナＣを被蓋する方向に回動させることにより、図２の右側に位置する半体蓋部８’のように、折り畳みコンテナＣを被蓋することができる。図２において、左側に位置する半体蓋部８’の被蓋に際しては、半体蓋部８’の係合短壁８ｆが、既に被蓋済みの右側に位置する半体蓋部８’の短壁８ｇの溝８ｇ’に挿着するようにする。なお、８ｊは、本出願人の先の出願で開示された蓋６の裏面に垂下された阻止板６ｂと同様の阻止板であり、後述するように、先の出願の阻止板６ｂより短い。
【００２４】
折り畳みコンテナＣを開ける場合には、上述した操作と逆に、先ず最初に、図２において左側に位置する半体蓋部８’を、ピニオン７ａを中心に、半時計方向に回動させながら下降させることにより、図２に示されているように、折り畳みコンテナＣを、半分だけ開く。次いで、同様にして、右側に位置する半体蓋部８’を、ピニオン７ａを中心に、時計方向に回動させながら下降させることにより、図１に示されているように、折り畳みコンテナＣを、全部、開くことができる。
【００２５】
上述した本出願人の先の出願において開示したと同様に、上部フレーム１の水平リブ１ｄには、周囲が垂直壁１ｆで囲まれた透孔１ｅが穿設されており、垂直壁１ｆのうち、はね上げ側壁２ａの壁面と直交する相対する垂直壁１ｆ’には縦長の窓孔１ｇが穿設されている。
【００２６】
９は、逆Ｕ字状の中央部９ａと、中央部９ａの両端から、外側に向けて斜め上方に延びる弾性変形可能な傾斜部９ｂとからなる、合成樹脂等で一体成形された中間部材である。傾斜部９ｂの弾性力に抗して、傾斜部９ｂを、逆Ｕ字状の中央部９ａの垂直壁９ａ’に接近させた後、中間部材９を、上部フレーム１の水平リブ１ｄに形成された透孔１ｅに挿入し、その後、傾斜部９ｂを、傾斜部９ｂの弾性力により外方向に張り出すことにより、傾斜部９ｂの先端の水平縁９ｂ’を、透孔１ｅを形成する一方の相対する垂直壁１ｆ’に穿設された縦長の窓孔１ｇに挿入する。そして、中間部材９の下端９ｃは、はね上げ側壁２ａの上端部２ｈに当接するように構成されている。
【００２７】
はね上げ側壁２ａを、水平位置から垂直方向に、上部フレーム１に穿設された縦長孔１ａに挿着された水平軸２ｅを中心に回動させて垂直状態とした後に、はね上げ側壁２ａを、縦長孔１ａに沿って下動させることにより、図５に示されているように、はね上げ側壁２ａの下端部２ｇを、底部３の係合凹部３ａに挿入する。この状態では、中間部材９は、図６に示されているように、中央部９ａの上面が、上部フレーム１の水平リブ１ｄと略一致した位置にあるので、中間部材９の下端９ｃと、はね上げ側壁２ａの上端部２ｈとの間には間隙ができることになる。
【００２８】
次いで、図１に示されている略垂直状態の半体蓋部８’を上動させるとともに、折り畳みコンテナＣを被蓋する方向に回動させることにより、図２の右側に位置する半体蓋部８’のように折り畳みコンテナＣを被蓋すると、半体蓋部８’の裏面に垂下された阻止板８ｊが、上部フレーム１の水平リブ１ｄに形成された透孔１ｅに挿入されて、阻止板８ｊが中間部材９に当接し、中間部材９を下方に押し下げる。図５或いは図７に示されているように、中間部材９が下方に押し下げられると、押し下げられた中間部材９の下端９ｃが、はね上げ側壁２ａの上端部２ｈに当接し、従って、はね上げ側壁２ａが、不用意に上動するようなことが阻止されることになる。
【００２９】
折り畳みコンテナＣを折り畳む際には、上述したように、蓋８を構成する一対の半体蓋部８’を開けた後、はね上げ側壁２ａを持ち上げて、はね上げ側壁２ａの下端部２ｇを、底部３の係合凹部３ａから抜くと、中間部材９は、傾斜部９ｂの水平縁９ｂ’が挿入されている窓孔１ｇに沿って、図６に示すように上動する。その後、相対する一対のはね上げ側壁２ａ、２ｂを、折り畳みコンテナＣの内部側に回動させて略水平状態にするとともに、分割側壁２ｃ、２ｄを形成する上部側壁２ｃ’、２ｄ’と下部側壁２ｃ”、２ｄ”を、それぞれ、重なるように折り畳むことにより、全体として、コンパクトに折り畳む。
【００３０】
本発明は、上述したように、上部フレーム１に配設された中間部材９を介して、半体蓋部８’の裏面に垂下された阻止板８ｊにより、下端部２ｇが底部３の係合凹部３ａに挿入されたはね上げ側壁２ａ、２ｂの上動を阻止するようにしたので、阻止板８ｊの下方への突出長さを短くすることができる。従って、蓋８の被蓋作業や取り外し作業中に、下方に長く延びた阻止板８ｉが作業の邪魔になったり、或いは、阻止板８ｉが折れたりする等のトラブルが解消できる。
【００３１】
図１、図２及び図５において、１０は、はね上げ側壁２ａ、２ｂが配設された側の上部フレーム１の外側垂直壁１ｂ”に形成された補強枠であり、補強枠１０は、上部フレーム１の水平リブ１ｄより一段下がった位置に配設されている。補強枠１０の上面には、被蓋された半体蓋部８’の縁部８ｄが載置されるように構成されている。このように、補強枠１０に、被蓋された半体蓋部８’の縁部８ｄを載置することにより、被蓋された半体蓋部８’の縁部８ｄ側の端部に上方から外力が加わった場合に、半体蓋部８’の損傷を防止することができる。勿論、このような補強枠１０は、必要に応じて、適宜、省略することができる。
【００３２】
なお、上述した実施例においては、蓋８を、一対の半体蓋部８’により構成したが、先の出願のように、２分割せずに一体に形成することもできる。また、蓋８を構成する一対の半体蓋部８’のうち、何方か一方の半体蓋部８’にのみ阻止板８ｉを垂下し、該阻止板８ｉに対応して、上部フレーム１の水平リブ１ｄの４か所に透孔１ｅを形成することなく、２か所のみに透孔１ｅを形成することもできる。
【００３３】
【発明の効果】
本発明は、以上説明したように構成されているので、以下に記載の効果を奏することができる。
【００３４】
中間部材を介して、蓋に垂下された阻止板により、はね上げ側壁の上動を阻止するようにしたので、阻止板の突出長さを短くすることができ、従って、蓋の被蓋作業や取り外し作業中に、下方に長く延びた阻止板が作業の邪魔になったり、或いは、阻止板が折れたりする等のトラブルが解消できる。
【００３５】
上部フレームに配設されたピニオンに、蓋の内壁に形成されたラックを噛み合わせることにより、蓋の開閉を行うようにしたので、蓋の開閉作業の際に、蓋が傾斜して上部フレームに当接し、蓋の円滑な移動が阻止されるようなことがない。
【図面の簡単な説明】
【図１】図１は蓋が開いた状態の本発明の折り畳みコンテナの斜視図である。
【図２】図２は蓋が半分開いた状態の本発明の折り畳みコンテナの一部切欠部を含む斜視図である。
【図３】図３は本発明の折り畳みコンテナの一部拡大分解斜視図である。
【図４】図４は本発明の折り畳みコンテナの一部斜視図である。
【図５】図５は被蓋された折り畳みコンテナのはね上げ側壁の壁面に垂直な部分断面図である。
【図６】図６は本発明の折り畳みコンテナの蓋の開閉作業を説明するためのはね上げ側壁の壁面に平行な部分断面図である。
【図７】図７は図６と同様のはね上げ側壁の壁面に平行な部分断面図である。
【図８】図８は先の出願に係る折り畳みコンテナの斜視図である。
【図９】図９は折り畳みコンテナの組み立て順序を示す折り畳みコンテナの斜視図である。
【図１０】図１０は先の出願に係る折り畳みコンテナの一部拡大分解斜視図である。
【図１１】図１１は先の出願に係る被蓋された折り畳みコンテナのはね上げ側壁の壁面に垂直な部分断面図である。
【符号の説明】
Ｃ・・・・・・・・折り畳みコンテナ
１・・・・・・・・上部フレーム
１ｅ・・・・・・・透孔
２ａ、２ｂ・・・・はね上げ側壁
２ｃ、２ｄ・・・・分割側壁
３・・・・・・・・底部
３ａ・・・・・・・係合凹部
７ａ・・・・・・・ピニオン
８・・・・・・・・蓋
８’・・・・・・・半体蓋部
８ｊ・・・・・・・阻止板
８ｈ・・・・・・・ラック
９・・・・・・・・中間部材
【図１】
0003735415.tif 000002
【図２】
0003735415.tif 000003
【図３】
0003735415.tif 000004
【図４】
0003735415.tif 000005
【図５】
0003735415.tif 000006
【図６】
0003735415.tif 000007
【図７】
0003735415.tif 000008
【図８】
0003735415.tif 000009
【図９】
0003735415.tif 000010
【図１０】
0003735415.tif 000011
【図１１】
0003735415.tif 000012